(57)【要約】【課題】  ヒューマンエラーによる異材の管理強化を図る。【解決手段】  操業管理装置と接続した鋼塊管理装置であって、操炉者の入力に基づいて加熱炉内の複数の鋼塊の荷姿情報を生成し、操業管理装置から受信した複数の鋼塊の装入/抽出順の識別情報に基づいて、荷姿情報の複数の鋼塊の各々に識別情報を装入/抽出順に付加して表示し、加熱炉への鋼塊の装入/抽出順を管理し、表示された荷姿情報の複数の鋼塊の内、操炉者に選択された鋼塊の識別情報が、管理された鋼塊の装入/抽出順と、合致した場合にはＯＫを表示し、合致しない場合にはＮＧを表示する。【選択図】  図１
2020154357.tif 000002
【特許請求の範囲】
【請求項１】
操業管理装置と接続した鋼塊管理装置であって、
操炉者の入力に基づいて加熱炉内の複数の鋼塊の荷姿情報を生成し、
前記操業管理装置から受信した複数の鋼塊の装入/抽出順の識別情報に基づいて、前記荷姿情報の複数の鋼塊の各々に前記識別情報を装入/抽出順に付加して表示し、
前記加熱炉への鋼塊の装入/抽出順を管理し、
前記表示された荷姿情報の複数の鋼塊の内、前記操炉者に選択された鋼塊の識別情報が、前記管理された鋼塊の装入/抽出順と、合致した場合にはＯＫを表示し、合致しない場合にはＮＧを表示する、鋼塊管理装置。
【請求項２】
前記鋼塊管理装置は、前記操炉者が所持可能な携帯端末である、請求項１に記載の鋼塊管理装置。
【請求項３】
前記鋼塊管理装置は、前記ＮＧを表示する代わりに、警報メッセージを表示する、又は、警報を鳴らす、請求項１または２に記載の鋼塊管理装置。
【請求項４】
操業管理装置に接続した鋼塊管理装置のコンピュータが、
操炉者の入力に基づいて加熱炉内の複数の鋼塊の荷姿情報を生成し、
前記操業管理装置から受信した複数の鋼塊の装入/抽出順の識別情報に基づいて、前記荷姿情報の複数の鋼塊の各々に前記識別情報を装入/抽出順に付加して表示し、
前記加熱炉への鋼塊の装入/抽出順を管理し、
前記表示された荷姿情報の複数の鋼塊の内、前記操炉者に選択された鋼塊の識別情報が、前記管理された鋼塊の装入/抽出順と、合致した場合にはＯＫを表示し、合致しない場合にはＮＧを表示する、鋼塊管理方法。
【発明の詳細な説明】
【技術分野】
【０００１】
この明細書に記載の実施形態は、加熱炉内の鋼塊の在炉状況を管理する技術に関する。
【背景技術】
【０００２】
鍛造工場のバッチ式加熱炉では、同一炉に最大５鋼番まで鋼塊を相積可能である。従来の加熱炉への鋼塊の装入/抽出作業は、次の通りである。
【０００３】
まず、操炉者が、操炉日誌に手書きにて炉内荷姿図を作成する。操炉者は、操炉日誌を見ながらＣ＃（出鋼鋼番：製鋼において電気炉での溶解単位にて一括りにした際の識別情報のこと）の識別番号を転記する。次に、操炉者は、視差呼称と炉内荷姿図への矢印の記入により、装入/抽出順の自己チェックを行い、鋼塊を加熱炉へ装入、または、加熱炉から抽出する。
【０００４】
次に、装入/抽出作業では、操炉者は、キャリッジターミナル（鍛造プロセスコントローラにデータを送信する際に、鍛造指令書のバーコードを読み取る機械）のバーコード読み込みと、操炉日誌へのペン書きを行う。
【０００５】
鍛造工場の加熱炉では、異鋼種の複数鋼塊を集約して加熱するため、鋼塊の装入/抽出順を誤ると鋼種の振り替わり異材となる。このため、装入/抽出者とは別の立会者が装入/抽出順を目視で立会確認している。装入/抽出時に操炉者が操炉日誌の炉内荷姿図に消込を行いながら、実際の在炉状況を照合することで異材管理している。
【０００６】
このように従来は異材管理を人手に頼っていた。しかしながら、ヒューマンエラーによる確認ミスで、鋼種が振り替わるおそれがあり、装入/抽出順間違いの異材発生リスクがあった。
【０００７】
加熱炉への装入をシステム管理する手法としては、スラブを加熱炉に装入する際に、端面のスラブＮｏ.の表示とスラブ寸法を画像解析にて判別し、制御装置内の情報と照合することで異材を防止する手法がある（例えば、特許文献１参照）。
【先行技術文献】
【特許文献】
【０００８】
【特許文献１】特開平11-124630号公報
【発明の概要】
【発明が解決しようとする課題】
【０００９】
上記手法によれば、スラブにスラブＮｏ.の表示をあらかじめマーキングする必要がある。
【００１０】
本発明は、このような従来の問題を解決するためになされたもので、ヒューマンエラーによる異材の管理強化を図ることが可能な装置を提供することを目的とする。
【課題を解決するための手段】
【００１１】
本発明は、操業管理装置と接続した鋼塊管理装置であって、操炉者の入力に基づいて加熱炉内の複数の鋼塊の荷姿情報を生成し、操業管理装置から受信した複数の鋼塊の装入/抽出順の識別情報に基づいて、荷姿情報の複数の鋼塊の各々に識別情報を装入/抽出順に付加して表示し、加熱炉への鋼塊の装入/抽出順を管理し、表示された荷姿情報の複数の鋼塊の内、操炉者に選択された鋼塊の識別情報が、管理された鋼塊の装入/抽出順と、合致した場合にはＯＫを表示し、合致しない場合にはＮＧを表示する。
【００１２】
本発明は、操業管理装置に接続した鋼塊管理装置のコンピュータが、操炉者の入力に基づいて加熱炉内の複数の鋼塊の荷姿情報を生成し、操業管理装置から受信した複数の鋼塊の装入/抽出順の識別情報に基づいて、荷姿情報の複数の鋼塊の各々に識別情報を装入/抽出順に付加して表示し、加熱炉への鋼塊の装入/抽出順を管理し、表示された荷姿情報の複数の鋼塊の内、操炉者に選択された鋼塊の識別情報が、管理された鋼塊の装入/抽出順と、合致した場合にはＯＫを表示し、合致しない場合にはＮＧを表示する。
【発明の効果】
【００１３】
本発明の鋼塊管理装置及び方法によれば、加熱炉の装入/抽出間違いの異材管理を強化できる。
【図面の簡単な説明】
【００１４】
【図１】システム構成例を示す図。
【図２】携帯端末のブロック図。
【図３】システムの処理のフローチャート。
【図４】鋼塊の荷姿を示す図。
【図５】各鋼塊に一連No.（識別情報）を紐づけた荷姿図。
【図６】指令書データと荷姿図を紐づける処理を説明する図。
【発明を実施するための形態】
【００１５】
実施形態のシステム構成例を図１に示す。システム１は、鍛造工場の操業をデータ管理するための計算機であるプロセスコントローラ（操業管理装置）３００と、操炉者が所持する携帯端末（鋼塊管理装置）１００と、アクセスポイント２００を有する。
【００１６】
携帯端末１００は、無線通信を可能にするネットワークインターフェイスを持ち、記憶媒体に保存されたプログラムをメモリへロードし、プログラムをＣＰＵ（Central Processing Unit）で動作させることで、各機能を有効にする。
【００１７】
プロセスコントローラ３００は、制御部３１０を有する。制御部３１０は、プロセスコントローラ３００の各部を統括的に制御するユニットであり、プロセッサ３１１、補助記憶装置３１２、ネットワークインターフェイス（Ｉ/Ｆ）３１３、及び、メモリ３１４を有する。プロセッサ３１１は、たとえばＣＰＵであり、補助記憶装置３１２に事前に記憶されているプログラムをメモリ３１４に展開し、演算実行する。これにより、プロセッサ３１１はプロセスコントローラ３００の各部を制御する。
【００１８】
補助記憶装置３１２は、不揮発性に記憶する装置であり、例えばＨＤＤ（Hard Disk Drive）である。補助記憶装置３１２は、携帯端末１００で入力されたデータや外部より送信されるデータ、装置内で演算実行するためのプログラムなどを、不揮発性に記憶する。メモリ３１４は、揮発性に記憶する主記憶装置であり、実行プログラムや必要なデータを揮発性に記憶する。
【００１９】
補助記憶装置は、鋼塊の一連Ｎｏ．情報（識別情報）を記憶する。鋼塊の一連Ｎｏ．情報（識別情報）の内容については、後述する。
【００２０】
ネットワークインターフェイス３１３は、アクセスポイント２００を基盤とした無線ネットワークを経由して、他装置との間でデータの送受信を行う。またネットワークインターフェイス３１３は、他装置との間で近距離無線通信を行うユニットも含む。ネットワークインターフェイス３１３は、例えばIEEE802.11の規格に準拠した無線通信機構やIEEE802.15.1の規格に準拠した近距離無線通信機構を含んでいる。その他の無線通信規格に準拠したユニットを含めてもよい。
【００２１】
実施形態では、操炉者が携帯端末１００のタッチパネル等を利用してデータを入力する。その後、入力されたデータを、Ｗｉ−Ｆｉ通信やＵＳＢ通信といった通信方式を用いてプロセスコントローラ３００に送信する。以上の形態をとることで、加熱炉への鋼塊の装入/抽出情報を設定可能とする。なお、実施形態のシステムではサーバーを含んでいないが、サーバーを含む構成としてもよい。
【００２２】
操炉者が所持する携帯端末１００の制御系の構成について説明する。携帯端末１００は、例えば、スマートフォンやタブレットやノート型コンピュータである。図２は実施形態の携帯端末１００のブロック図である。システムバス１０７を介して、ＣＰＵ１０２、ＲＯＭ（Read Only Memory）１０３、ＲＡＭ（Random Access Memory）１０４、外部Ｉ／Ｆ（Interface）１０５、及び、操作/表示パネル１０６が接続する。ＣＰＵ１０２とＲＯＭ１０３とＲＡＭ１０４とで制御部１０１を構成する。
【００２３】
ＲＯＭ１０３は、ＣＰＵ１０２により実行されるプログラムや閾値を予め記憶する。
【００２４】
ＲＡＭ１０４は、ＣＰＵ１０２が実行するプログラムを展開するエリアと、プログラムによるデータ処理の作業領域となるワークエリアなどの様々なメモリエリアを動的に形成する。
【００２５】
ＲＡＭ１０４は、加熱炉内の複数の鋼塊の荷姿情報を保存する荷姿記憶エリアを有する。制御部１０１は、荷姿記憶エリアに記憶する荷姿情報に基づいて、荷姿画像の表示を行う。荷姿記憶エリアに記憶する複数の鋼塊の荷姿情報は、操作/表示パネル１０６により操炉者が入力する。
【００２６】
ＲＡＭ１０４は、鋼塊の一連Ｎｏ．情報（識別情報）を保存する一連Ｎｏ．記憶エリア（識別情報記憶エリア）を有する。制御部１０１は、一連Ｎｏ．記憶エリアに記憶する情報に基づいて、荷姿記憶エリアに記憶された加熱炉内の複数の鋼塊に鋼塊の一連Ｎｏ．を対応付ける処理を行う。鋼塊の一連Ｎｏ．記憶エリアに記憶する鋼塊の一連Ｎｏ．情報は、外部Ｉ／Ｆ１０５を通じてプロセスコントローラ３００から受信する。
【００２７】
ＲＡＭ１０４は、装入/抽出が完了した鋼塊と装入/抽出が完了していない鋼塊とを記憶し、加熱炉への鋼塊の装入/抽出順を保存する装入/抽出順記憶エリアを有する。制御部１０１は、装入/抽出順記憶エリアに記憶した情報に基づいて、加熱炉への鋼塊の適正な装入/抽出順を判別する処理を行う。
【００２８】
外部Ｉ／Ｆ１０５は、例えば、プロセスコントローラ３００などの外部装置と通信するためのインターフェースである。外部Ｉ／Ｆ１０５は、外部装置とデータ通信を行うインターフェースであれば良い。例えば、外部Ｉ／Ｆ１０５は、外部装置にローカルに接続する機器（ＵＳＢメモリ等）であっても良いし、ネットワークを介して通信するためのネットワークインターフェイスであっても良い。さらに、データ通信方式は、Ｗｉ−Ｆｉ（登録商標）通信やＵＳＢ通信でもよい。
【００２９】
操作/表示パネル１０６は、表示部とタッチパネルが一体化したユーザーインターフェースである。操作/表示パネル１０６は、携帯端末１００の本体の前面に配置され、タッチパネルを具備する表示部を有する。制御部１０１は、操作/表示パネル１０６の表示部に表示する内容を制御する。操作/表示パネル１０６は、タッチパネル入力した情報を制御部１０１へ出力する。操作/表示パネル１０６から入力される各処理に関する情報は、処理情報としてＲＡＭ１０３の所定の領域に記憶される。以上のような構成を備える携帯端末１００において、予め設定されているプログラムに基づいて、携帯端末１００は画面表示を実行する。
【００３０】
実施形態における処理例を図のフローチャートに示す。まず、加熱炉内の各鋼塊に一連No.（識別情報）を紐づけた荷姿図を生成する処理について説明する。
【００３１】
まず、操炉者は、バッチ型加熱炉（以下、単に加熱炉とする）への鋼塊の装入前に、操炉者が所持する携帯端末１００の操作/表示パネル１０６にて加熱炉内の荷姿図（一画面表示）を入力する。携帯端末１００は、操炉者の入力に基づいて、荷姿情報を生成する（ＳＴＥＰ１）。図４に、操作/表示パネル１０６に入力された荷姿図を示す。図に示すように、荷姿図は、加熱炉を示す外枠部４０１と加熱炉に挿入された鋼塊を示す鋼塊部４０２ａ〜４０２ｄと有する。操炉者は、携帯端末１００の操作/表示パネル１０６から、鋼塊部４０２ａ〜４０２ｄの荷姿図を入力する。
【００３２】
携帯端末１００は、プロセスコントローラ３００から送信された、鋼塊の一連Ｎｏ．情報（識別情報）を含む指令書データに基づいて、荷姿図の各鋼塊４０２ａ〜４０２ｄに一連No.（識別情報）を紐づけて、操作/表示パネル１０６に表示する（ＳＴＥＰ２）。一連No.（識別情報）は、プロセスコントローラ３００に鍛造品１本毎に記憶された情報である。
【００３３】
図５に、各鋼塊に一連No.（識別情報）を紐づけた荷姿図を示す。図に示すように操作/表示パネル１０６に表示された荷姿図の鋼塊４０２ａには一連No. 「A0000 01」が紐づけられ、鋼塊４０２ｂには一連No. 「A0000 02」が紐づけられ、鋼塊４０２ｃには一連No. 「A0001 01」が紐づけられ、鋼塊４０２ｄには一連No. 「A0001 02」が紐づけられる。
【００３４】
ここで、携帯端末１００が指令書データの識別情報と荷姿図（荷姿情報）を紐づける処理について説明する。
【００３５】
バッチ型加熱炉への鋼塊装入/抽出作業前に、プロセスコントローラ３００は、鋼塊をバッチ式加熱炉への装入単位にて一括りするグループ化を行い、一連No.（識別情報）を含む指令書データを生成する。
【００３６】
図６（ａ）は、プロセスコントローラ３００による指令書データの生成のルールを示す図である。図６（ａ）は、加熱炉に装入する鋼塊の数を６とした場合のルールを説明する図である。図に示すように、指令書データは、上から順に鍛造するルールが適用される。グループ化により、鋼塊ごとに、グループNoが付与され、バッチ式加熱炉への装入単位毎に識別情報(グループNo)が付与される。実施形態では、指令書データの識別情報は、Ａ、Ｂ、Ｃ、Ｄ、Ｅ、Ｆの順となる。
【００３７】
図６（ｂ）は、携帯端末１００による荷姿図データの生成のルールを示す図である。なお、図５では、加熱炉に装入する鋼塊の数を４としているが、図６（ｂ）では、加熱炉に装入する鋼塊の数を６としている。図に示すように、荷姿図データは、奇数炉（１号炉等）は、右側上段から順（指令書データのＡ，Ｂ、Ｃの順）に抽出し、左側下段から順（指令書データのＤ、Ｅ、Ｆの順）に装入するルールが適用され、偶数炉（２号炉等）は、左側上段から順（指令書データのＡ、Ｂ、Ｃの順）に抽出し、右側下段から順（指令書データのＤ、Ｅ、Ｆの順）に装入するルールが適用される。
【００３８】
このようにして鍛造順と装入/抽出順は同じとなるため、携帯端末１００は、指令書データの識別情報に整合するように荷姿図の各鋼塊４０３ａ〜４０３ｆに一連No．（識別情報）Ａ〜Ｆを紐付けて、操作/表示パネル１０６に表示する。
【００３９】
次に、加熱炉への鋼塊の装入処理について説明する。操炉者は、加熱炉への鋼塊の装入前に、携帯端末１００の操作/表示パネル１０６に表示された荷姿図の鋼塊（例えば、図６（ｂ）の「鋼塊４０３ａ」）を選択する（ＳＴＥＰ３）。
【００４０】
携帯端末１００は、選択された鋼塊のデータ（例えば、「Ａ」）に基づき、操炉者が選択した鋼塊が、加熱炉への鋼塊の適正な装入順「Ａ」と合致しているか、システム判別する（ＳＴＥＰ４）。
【００４１】
携帯端末１００は、判別の結果、適正な装入順「Ａ」である場合には、操作/表示パネル１０６に「ＯＫ」と表示する。これを確認した操炉者は、加熱炉への鋼塊４０３ａの装入作業を開始する（ＳＴＥＰ５）。
【００４２】
携帯端末１００は、判別の結果、不適正な装入順である場合には、操作/表示パネル１０６に「ＮＧ」と表示する（もしくは、警報メッセージを表示する、又はシステム警報を鳴らす（警報部は不図示））。操炉者は、加熱炉への鋼塊の装入作業を中断して、装入順を再確認する（ＳＴＥＰ６）。
【００４３】
携帯端末１００は、ＯＫを表示した後、次鋼の判別のため、装入/抽出順記憶エリアの適正な順番を「Ｂ」に設定する。このようにして、携帯端末１００は、装入が完了した鋼塊（例えば「Ａ」）が入力された場合には、装入/抽出順記憶エリアに記憶した情報を更新して、装入が完了した鋼塊と装入が完了していない鋼塊とを管理し、次に装入を行う順に該当する鋼塊の識別情報（例えば「Ｂ」）を設定する。
【００４４】
以後、携帯端末１００は、上記ＳＴＥＰを鋼塊４０３ｂから４０３ｆまで、及び、識別情報「Ｂ」から「Ｆ」まで繰り返し、鋼塊の装入管理が完了する。
【００４５】
次に、加熱炉からの鋼塊の抽出処理について説明する。操炉者は、加熱炉からの鋼塊の抽出前に、携帯端末１００の操作/表示パネル１０６に表示された荷姿図の鋼塊（例えば、図６（ｂ）の「鋼塊４０３ａ」）を選択する（ＳＴＥＰ７）。
【００４６】
携帯端末１００は、選択された鋼塊のデータ（例えば「Ａ」）に基づき、操炉者が選択した鋼塊が、加熱炉からの鋼塊の適正な抽出順「Ａ」と合致しているか、システム判別する（ＳＴＥＰ８）。
【００４７】
携帯端末１００は、判別の結果、適正な抽出順「Ａ」である場合には、操作/表示パネル１０６に「ＯＫ」と表示する。これを確認した操炉者は、加熱炉からの鋼塊４０３ａの抽出作業を開始する（ＳＴＥＰ９）。
【００４８】
携帯端末１００は、判別の結果、不適正な抽出順である場合には、操作/表示パネル１０６に「ＮＧ」と表示する（もしくは、警報メッセージを表示する、又はシステム警報を鳴らす（警報部は不図示））。操炉者は、加熱炉からの鋼塊の抽出作業を中断し、抽出順を再確認する（ＳＴＥＰ１０）。
【００４９】
携帯端末１００は、ＯＫを表示した後、次鋼の判別のため、装入/抽出順記憶エリアの適正な順番を「Ｂ」に設定する。このようにして、携帯端末１００は、抽出が完了した鋼塊（例えば「Ａ」）が入力された場合には、装入/抽出順記憶エリアに記憶した情報を更新して、抽出が完了した鋼塊と抽出が完了していない鋼塊とを管理し、次に抽出を行う順に該当する鋼塊の識別情報（例えば「Ｂ」）を設定する。
【００５０】
以後、携帯端末１００は、上記ＳＴＥＰを鋼塊４０３ｂから４０３ｆまで、及び、識別情報「Ｂ」から「Ｆ」まで繰り返し、鋼塊の抽出管理が完了する。
【００５１】
以上説明したように、実施形態の装置によれば、操炉日誌をタブレット化し、操炉作業をシステム監視することで、ヒューマンエラーに対する異材管理強化を図ることが可能となる。
【００５２】
以上、実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５３】
１００  携帯端末
１０２  ＣＰＵ
１０３  ＲＯＭ
１０４  ＲＡＭ
１０５  外部Ｉ／Ｆ
１０６  操作/表示パネル
２００  アクセスポイント
３００  プロセスコントローラ
３１０  制御部
３１１  プロセッサ
３１２  補助記憶装置
３１３  ネットワークインターフェイス
３１４  メモリ
【図１】
2020154357.tif 000003
【図２】
2020154357.tif 000004
【図３】
2020154357.tif 000005
【図４】
2020154357.tif 000006
【図５】
2020154357.tif 000007
【図６】
2020154357.tif 000008